(57)【要約】【課題】  現場への分電盤等の内器の納入をゆとりを持って行うことが可能な内器の支持部材及びこの支持部材により構成される内器支持フレームを提供すること。【解決手段】  板部材を加工することにより製作され、長手方向に延びた形状を有し内器を取り付けるための支持部材１０，２０，３０であって、長手方向に直交する断面形状が、第１取付面１１，２１，３１と、この第１取付面１１，２１，３１の中央部にコの字状に形成される凹部と、凹部を形成する第１取付面１１，２１，３１と平行な第２取付面１３，２３，３３と、凹部を形成する第２取付面１３，２３，３３の幅方向両側に形成される垂直壁面１４とを有し、第１取付面１１，２１，３１及び第２取付面１３，２３，３３には、長手方向に沿って多数の取り付け用孔１１ａ，１３ａを形成している。【選択図】図３
2006121823.tif 000002
【特許請求の範囲】
【請求項１】
板部材を加工することにより製作され、長手方向に延びた形状を有し内器を取り付けるための支持部材であって、
長手方向に直交する断面形状が、
第１取付面と、
この第１取付面の中央部にコの字状に形成される凹部と、
凹部を形成する第１取付面と平行な第２取付面と、
凹部を形成する第２取付面の幅方向両側に形成される垂直壁面とを有し、
第１取付面及び第２取付面には、長手方向に沿って多数の取り付け用孔が形成されていることを特徴とする支持部材。
【請求項２】
第１取付面を内器取り付け用とし、第２取付面を支持基体に対する取り付け用とすることを特徴とする請求項１に記載の支持部材。
【請求項３】
請求項１又は請求項２に記載の支持部材を複数組み合わせることにより構成される内器支持フレーム。
【請求項４】
水平状態に設置される複数の第１支持部材と、
垂直状態に設置される複数の第２支持部材とを有し、
第１支持部材の上に第２支持部材を取り付け、第２支持部材に対して内器を取り付けるように構成した請求項３に記載の内器支持フレーム。
【請求項５】
第１支持部材の第１取付面と、第２支持部材の第２取付面とをボルト・ナットにより結合することを特徴とする請求項４に記載の内器支持フレーム。
【発明の詳細な説明】
【技術分野】
【０００１】
本発明は、板部材を加工することにより製作され、長手方向に延びた形状を有し内器を取り付けるための支持部材及びこの支持部材により構成される内器支持フレームに関するものである。
【背景技術】
【０００２】
分電盤のような内器は、通常は函体に収容されており、この函体を壁面などに取り付けることにより施工されている。これを図６に示す。図６に示すように、函体の本体部１と函体の扉部２とを有し、その内部に分電盤３とその保護板４が収容される。扉部２には、開閉操作可能な扉２ａが取り付けられている。また、本体部１と扉部２とは、不図示のネジにより結合される。本体部１は、建物内部の壁面にボルト・ナットにより固定される。
【発明の開示】
【発明が解決しようとする課題】
【０００３】
しかしながら、従来の函体に分電盤を収容するタイプの構造には、次のような課題がある。すなわち、建築現場に分電盤を納入する場合には、函体を製作した上でその中に分電盤を収容した状態で納入している。しかし、分電盤を製作するには、３０日から６０日の納期が必要であるため、通常は、分電盤を収容した函体が納入する前に配線関係の工事は終了する。従って、分電盤が納入されるまでの間は、分電盤の取り付け場所の位置にまで到達している配線の仮置きを設定する必要がある。
【０００４】
かかる仮置きの設定をなくすためには分電盤の納入を早めれば良いが、結線が終了した後では、分電盤の仕様変更などへの対応が難しくなるという問題がある。仕様変更があった場合に、工場から担当者が現場に出向いて加工する必要があるが、コスト高になる。
【０００５】
本発明は上記実情に鑑みてなされたものであり、その課題は、現場への分電盤等の内器の納入をゆとりを持って行うことが可能な内器の支持部材及びこの支持部材により構成される内器支持フレームを提供することである。
【課題を解決するための手段】
【０００６】
上記課題を解決するため本発明に係る支持部材は、
板部材を加工することにより製作され、長手方向に延びた形状を有し内器を取り付けるための支持部材であって、
長手方向に直交する断面形状が、
第１取付面と、
この第１取付面の中央部にコの字状に形成される凹部と、
凹部を形成する第１取付面と平行な第２取付面と、
凹部を形成する第２取付面の幅方向両側に形成される垂直壁面とを有し、
第１取付面及び第２取付面には、長手方向に沿って多数の取り付け用孔が形成されていることを特徴とするものである。
【０００７】
かかる支持部材による作用・効果を説明する。本発明による内器の支持は、函体に収容するのではなく、支持部材に対して取り付けるものである。この支持部材は板部材を加工することにより製作されるものであり、長手方向に延びた形状を有している。すなわち、函体に内器を収容するのではなく、支持部材に対して内器を取り付けるようにしたものである。支持部材の長手方向に直交する断面形状は、次のような形状を有する。まず、第１取付面を有し、この第１取付面の中央部にコの字状に形成される凹部が設けられる。さらに、この凹部は第２取付面と、第２取付面の幅方向両側に形成される垂直壁面を有する。そして、第１取付面と第２取付面とは、平行となるように形成される。このように、支持部材には、２種類の取付面が形成されており、一方を内器の取り付け用とし、他方を支持基体（例えば、建造物の壁面）への取り付け用とすることができる。このような支持部材を複数組み合わせて現場で予め組み立てておき、この組み立てられたフレームを利用して、配線を本結線に備えてまとめておくことができ、従来のような仮置きを行う必要はない。従って、内器の納入は支持部材の組立時よりも遅らせることができる。その結果、現場への分電盤等の内器の納入をゆとりを持って行うことが可能な内器の支持部材を提供することができる。
【０００８】
本発明において、第１取付面を内器取り付け用とし、第２取付面を支持基体に対する取り付け用とすることが好ましい。第２取付面を支持基体に対して取り付ける場合に、そのボルト・ナットを凹部に納めることができる。従って、第１取付面に内器を取り付ける場合に、ボルト・ナットが邪魔にならないという利点を有する。
【０００９】
本発明に係る支持部材を複数組み合わせることにより内器支持フレームを構成することができる。支持部材は、長手方向に延びた形状を有していることから、その長さを変えることや、支持部材の組み合わせを種々変えることで、多様な大きさの内器の取り付けに対応することができる。
【００１０】
本発明において、水平状態に設置される複数の第１支持部材と、
垂直状態に設置される複数の第２支持部材とを有し、
第１支持部材の上に第２支持部材を取り付け、第２支持部材に対して内器を取り付けるように構成することが好ましい。
【００１１】
支持部材として、水平に設置される第１支持部材と、垂直に設置される第２支持部材を用意し、第１支持部材の上に第２支持部材を取り付けることで内器支持フレームを構成する。かかる内器支持フレームによれば、支持基体に対して第１支持部材を取り付け、内器を第２支持部材に対して取り付けることができる。従って、支持部材のみを先に組み立てておくことができるので、内器の製作を余裕を持って行うことができる。
【００１２】
本発明において、第１支持部材の第１取付面と、第２支持部材の第２取付面とをボルト・ナットにより結合することが好ましい。これにより、第２支持部材を取り付けるためのボルト・ナットを凹部に収容することができ、内器の取り付けに対して邪魔になることがない。
【発明を実施するための最良の形態】
【００１３】
本発明に係る支持部材及び内器支持フレームの好適な実施形態を図面を用いて説明する。図１は、支持部材の平面図であり、図２は長手方向に直交する拡大断面図（図１のＡ−Ａ断面）である。
【００１４】
支持部材１０は、厚み２〜３ｍｍの鋼板を曲げ加工することにより製作される。鋼板の種類については、適宜選択することができる。支持部材１０は、長手方向Ｂに沿って延びる形状を有している。図２に示すように第１取付面１１が幅方向両側に一対形成される。第１取付面１１の中央部には、コの字状の凹部１２が形成される。凹部は、第２取付面１３と、その幅方向両側に形成される一対の垂直壁面１４により構成されている。第１取付面１１には、長手方向に沿って多数の孔１１ａが形成され、第２取付面１３にも長手方向に沿って多数の孔１２ａが形成される。孔１１ａと孔１２ａの配列ピッチは同じであり、幅方向に沿って同じ位置に形成される。なお、孔１１ａ，１２ａのピッチについては、適宜決めることができる。第１取付面１１は、建造物の壁面（支持基体に相当）に対して取り付けるために用いられ、第２取付面１３は、分電盤を取り付けるために用いられる。
【００１５】
支持部材１０を作成するための材料については、適切な材質の金属材料を使用することができ、特定の材質に限定されるものではない。支持部材１０の長さについては、分電盤が設置される現場の状況に応じて、適宜変更可能である。孔１１ａ，１３ａの個数や配列ピッチについても、適宜変更可能である。
【００１６】
次に、図１，２に示す支持部材１０を用いて、分電盤を取り付けるための支持フレームを構成した例を図３に示す。図３に示すように、水平に配置される３本の第１支持部材２０と、垂直に配置される２本の第２支持部材３０とを組み合わせることで、支持フレームを構成する。この場合、水平な第１支持部材２０の方が下側、すなわち、壁面に対して直接取り付けられる支持部材として機能する。第２支持部材３０は、第１支持部材２０の上側に配置され、分電盤は第２支持部材３０に対して取り付けられる。
【００１７】
第１支持部材２０と第２支持部材３０との結合は、これらが互いに交差している個所Ｃでボルト・ナットにより締結される。すなわち、第１支持部材２０の第１取付面２１と、第２支持部材３０の第２取付面３３とを互いにボルト・ナットで結合する。これを図４に示す。第１支持部材２０は、壁面Ｄに対してボルト・ナット６により固定される。第２取付面２３が壁面Ｄに接触する形となり、ボルトの頭部６ａは、凹部に収容される形になる。従って、第１・第２支持部材２０，３０の結合に関してボルト・ナット６が邪魔になることはない。
【００１８】
また、第１・第２支持部材２０，３０を結合するボルト・ナット５の頭部５ａについても、同じように凹部に収容される形になる。分電盤は、第２支持部材３０の第１取付面３１に対して取り付けられる。従って、分電盤の取り付けに関して、ボルト・ナット５が邪魔になることはない。
【００１９】
図３に示すように、支持フレームが構成され、その左側の領域は、分電盤を取り付けるための領域Ｒ１であり、右側の領域は配線ダクトを取り付けるための領域Ｒ２として機能する。なお、このような領域の区分けは種々の変形例が可能であり、例えば、配線ダクトを左側の領域としてもよい。
【００２０】
次に、分電盤と配線ダクトを支持フレームに搭載したときの組立例を図５に示す。図５（ａ）は、壁面Ｄに支持フレームを取り付けた場合の構成例であり、図５（ｂ）は２本のパイプ４０（支持基体に相当）に対して支持フレームを取り付けた場合の構成例である。支持フレームの構成は、図３で説明した通りである。分電盤８は、第２支持部材３０の第１取付面３１に対して取り付けられる。また、分電盤８に隣接して配線ダクト９が、第１支持部材２０の第１取付面２１に対して取り付けられる。配線ダクト９の内部には、分電盤８と結線をすべき電気コード線が収容される。パイプ４０に対して結合する場合は、Ｕ字状の結合部材４１を用いる。
【００２１】
本発明に示すような支持フレームを用いることで、分電盤８については、支持フレームに対してあとから取り付けることができる。つまり、電気コードを分電盤８の位置にまで持ってきておき、それを配線ダクト９の中に収容させておくことができる。従って、分電盤８は電気コードが分電盤８の位置にまで到達した直後に必要はなく、電気コードの仮置きをする必要もない。従って、分電盤８はゆとりを持って製作することができ、途中で仕様変更があったとしても容易に対応することができる。
【００２２】
＜別実施形態＞
本発明に係る支持部材に対して取り付けられる内器として分電盤を例としてあげたが、これに限定されるものではない。
【００２３】
本実施形態の図３、図４では第１支持部材２０の第２取付面１３を壁面Ｄに対する取付面としているが、第１取付面２１を壁面に対する取付面としてもよい。
【図面の簡単な説明】
【００２４】
【図１】支持部材の平面図
【図２】支持部材の拡大断面図
【図３】支持部材を用いて支持フレームを構成した例を示す図
【図４】支持部材どうしの結合態様を示す図
【図５】分電盤と配線ダクトを支持フレームの取り付けた状態を示す図
【図６】従来技術に係る分電盤の取り付け方法を示す図
【符号の説明】
【００２５】
８      分電盤
９      配線ダクト
１０，２０，３０        支持部材
１１，２１，３１        第１取付面
１１ａ，１３ａ        孔
１２      凹部
１３，３３      第２取付面
１４      垂直壁面
【図１】
2006121823.tif 000003
【図２】
2006121823.tif 000004
【図３】
2006121823.tif 000005
【図４】
2006121823.tif 000006
【図５】
2006121823.tif 000007
【図６】
2006121823.tif 000008